(57)【要約】【課題】優れた強度を有し、火葬の際には、全体を均一に燃焼させることができ、燃焼後に灰が残らず且つダイオキシン等の有害物質が発生せず、埋葬の際には、優れた生分解性が得られる棺桶を提供する。【解決手段】本考案の棺桶１は、生分解性樹脂（例えば、ポリ乳酸）により形成されており、底壁２と、この底壁２の周囲を囲むようにして形成された側壁３と、底壁２の下面全体にわたって格子状に形成され且つ底壁２の一端から他端の縁部２１まで到達するように形成された溝４と、底壁２の上面に形成された突条５と、を備えており、且つ上方が開放された開放部Ｓを有する。【選択図】  図１
0003122988.tif 000002
【実用新案登録請求の範囲】
【請求項１】
底壁と、該底壁の周囲を囲むようにして形成された側壁と、を備える箱形の棺桶であって、
前記棺桶の上方は開放された開放部とされており、前記底壁の下面には溝が形成されており、且つ前記棺桶は生分解性樹脂により形成されていることを特徴とする棺桶。
【請求項２】
前記溝は複数形成されており、該溝は互いに交わるように形成されている請求項１に記載の棺桶。
【請求項３】
前記溝は前記底壁の縁部まで到達するように形成されている請求項２に記載の棺桶。
【請求項４】
前記溝は前記底壁の下面全体にわたり、且つ格子状に形成されている請求項１に記載の棺桶。
【請求項５】
前記溝の幅が２０〜３０ｍｍである請求項４に記載の棺桶。
【請求項６】
前記底壁の上面には複数の突条が形成されている請求項５に記載の棺桶。
【請求項７】
前記突条の高さが３〜３０ｍｍである請求項６に記載の棺桶。
【請求項８】
前記開放部を塞ぐための蓋部を更に備える請求項７に記載の棺桶。
【請求項９】
前記蓋部にはエンボス加工が施されている請求項８に記載の棺桶。
【請求項１０】
前記側壁にはエンボス加工が施されている請求項９に記載の棺桶。
【請求項１１】
前記生分解性樹脂は、ポリ乳酸である請求項１０に記載の棺桶。
【請求項１２】
愛玩動物用である請求項１１に記載の棺桶。
【考案の詳細な説明】
【技術分野】
【０００１】
本考案は、棺桶に関する。更に詳しくは、火葬及び埋葬のいずれにも対応することができ、優れた強度を有し、火葬の際には、全体を均一に燃焼させることができ、燃焼後に灰が残らず且つダイオキシン等の有害物質が発生せず、埋葬の際には、優れた生分解性が得られる棺桶に関する。
本考案の棺桶は、犬、猫、ウサギ、小鳥等の愛玩動物用の棺桶として有用である。
【背景技術】
【０００２】
従来より、犬や猫等の愛玩動物用が死んでしまった場合には、火葬や埋葬が行われている。火葬か埋葬かの選択は、各飼い主の宗派等により決定され、火葬する場合には、棺桶が用いられることが多い。このような棺桶としては、例えば、ダンボール紙製の棺桶（例えば、特許文献１等）が知られている。
しかしながら、棺桶の素材がダンボール紙等の紙製である場合には、焼却の際にダイオキシン等の有毒物質や悪臭が多量に発生することがあるため、火葬施設によっては、棺桶から遺体を取り出し、その遺体だけを火葬炉に収納して焼却しており、棺桶本来の目的を達成できていないことがあった。また、紙製の棺桶を焼却した場合には、多量の灰分や炭化物が生じ、火葬遺体を汚すことになり、骨揚げを行うことが困難となったり、灰分等が空中に舞い上がってしまう等の不具合が生じていた。
【０００３】
また、特許文献２のような桐製の棺桶も知られているが、コストが高く、廉価なものが求められている。
更に、従来の棺桶は、通常、形状が略直方体状であり、図７に示すように、火葬炉における火炎Ｆは、矢印のように棺桶２０の上面方向及び側面方向に回り込むだけであり、棺桶２０の下面には火炎が全く当たらず、全体を均等に燃焼させることができず、燃焼むらが生じてしまうという問題があった。
そのため、棺桶ごと火葬した際に、これらの不具合が生じない棺桶が求められていた。
【０００４】
一方、埋葬する場合には、自宅の庭等の土壌に直接埋められたり、ダンボール箱やビニール袋等に収納して埋められる場合が多い。
しかし、埋葬の場合には、遺体がダンボール箱やビニール袋に収納されていたとしても、強度が比較的弱く、他の動物に掘り起こされて、埋葬した遺体が散乱したりするおそれがある。更には、臭気の拡散等により、衛生面での問題が生じることもある。また、ビニール袋等の生分解性を有していない素材は、永久に土中に残るため、環境面においても問題となっている。
【０００５】
また、上記のように、火葬するか埋葬するかの選択は個々の宗派等により決定されるものであるため、両方に対応できる棺桶が求められていた。
【０００６】
【特許文献１】実登３００４８６０号公報
【特許文献２】特開２００５−３２３７８５号公報
【考案の開示】
【考案が解決しようとする課題】
【０００７】
本考案は、上記実情に鑑みてなされたものであって、火葬及び埋葬のいずれにも対応することができ、優れた強度を有し、火葬の際には、全体を均一に燃焼させることができ、燃焼後に灰が残らず且つダイオキシン等の有害物質が発生せず、埋葬の際には、優れた生分解性が得られる棺桶を提供することを課題とする。
【課題を解決するための手段】
【０００８】
本考案は、以下のとおりである。
請求項１の考案は、底壁と、該底壁の周囲を囲むようにして形成された側壁と、を備える箱形の棺桶であって、前記棺桶の上方は開放された開放部とされており、前記底壁の下面には溝が形成されており、且つ前記棺桶は生分解性樹脂により形成されていることを特徴とする棺桶である。
請求項２の考案は、前記溝が複数形成されており、該溝は互いに交わるように形成されている請求項１に記載の棺桶である。
請求項３の考案は、前記溝が前記底壁の縁部まで到達するように形成されている請求項２に記載の棺桶である。
請求項４の考案は、前記溝が前記底壁の下面全体にわたり、且つ格子状に形成されている請求項１に記載の棺桶である。
請求項５の考案は、前記溝の幅が２０〜３０ｍｍである請求項４に記載の棺桶である。
請求項６の考案は、前記底壁の上面には複数の突条が形成されている請求項５に記載の棺桶である。
請求項７の考案は、前記突条の高さが３〜３０ｍｍである請求項６に記載の棺桶である。
請求項８の考案は、前記開放部を塞ぐための蓋部を更に備える請求項７に記載の棺桶である。
請求項９の考案は、前記蓋部にはエンボス加工が施されている請求項８に記載の棺桶である。
請求項１０の考案は、前記側壁にはエンボス加工が施されている請求項９に記載の棺桶である。
請求項１１の考案は、前記生分解性樹脂がポリ乳酸である請求項１０に記載の棺桶である。
請求項１２の考案は、愛玩動物用である請求項１１に記載の棺桶である。
【考案の効果】
【０００９】
本考案の棺桶によれば、火葬の際に、火炎が底壁に形成された溝に沿って棺桶の下方側にも回るため、全体を均一に燃焼させることができる。また、生分解性樹脂により形成されているため、燃焼の際に灰が残ることがなく、且つダイオキシン等の有害物質を発生することもなく環境性に優れる。一方、埋葬する際には、前記溝が形成されているため、底壁と土壌との接触面積が大きくなり、優れた生分解性を得ることができる。また、本考案の棺桶は、前記溝を備えているため、十分な強度を有する。更に、本考案の棺桶は、犬、猫、ウサギ、小鳥等の愛玩動物用の棺桶として有用である。
また、底壁における溝が、互いに交わるように複数形成されている場合には、火葬時の火炎がより均等に広がるため、全体をより均一に燃焼させることができる。更には、棺桶の強度をより向上させることができる。
また、底壁における溝が、底壁の縁部まで到達するように形成されている場合には、火葬時の火炎が一方向からのみの場合であっても、火炎が均等に広がり、全体をより均一に燃焼させることができる。
また、底壁における溝が、底壁の下面全体にわたり、且つ格子状に形成されている場合には、火葬時の火炎がより均等に広がるため、全体をより均一に燃焼させることができる。更には、棺桶の強度をより向上させることができる。
また、底壁における溝の幅が２０〜３０ｍｍである場合には、火葬時の火炎が十分に行き渡り、全体をより均一に燃焼させることができる。
また、底壁の上面に複数の突条が形成されている場合には、収納された遺体が棺桶内で移動したり、散乱したりしないように、滑り止めの効果が得られる。
また、底壁の上面における突条の高さが３〜３０ｍｍである場合には、より優れた滑り止めの効果が得られる。
また、開放部を塞ぐための蓋部を更に備える場合には、臭気の拡散等を防止でき、衛生的である。更に、埋葬の際には、収納された遺体に直接土壌が接触するのを防ぐことができる。
また、蓋部にエンボス加工が施されている場合には、上方側から収納された遺体が明瞭に透けて見えないようにすることができる。
また、側壁にエンボス加工が施されている場合には、側面側から収納された遺体が明瞭に透けて見えないようにすることができる。
【考案を実施するための最良の形態】
【００１０】
以下、本考案を、更に詳しく説明する。
本考案の棺桶は、底壁と、該底壁の周囲を囲むようにして形成された側壁と、を備える箱形の棺桶であって、前記棺桶の上方は開放された開放部とされており、前記底壁の下面には溝が形成されており、且つ前記棺桶は生分解性樹脂により形成されていることを特徴とする。
具体的には、例えば、図１に示すように、棺桶１は、下面に溝４が形成された底壁２と、この底壁２の周囲を取り囲むようにして形成された側壁３と、を備えた箱形のものであり、上方が開放されている（開放部Ｓ）。
【００１１】
前記「底壁」の平面形状は特に限定されず、正方形、長方形及び台形等の多角形並びに円形及び楕円形等とすることができる。多角形の場合、角部が丸められていてもよい。
底壁の寸法は特に限定されず、収容される遺体の大きさにより適宜調整することができる。
【００１２】
本考案においては、前記「溝」が底壁の下面に形成される。この溝が形成されることにより、棺桶の強度が向上する。また、火葬の際には、溝が火炎の通路となり、全体を均一に燃焼させることができる。更に、埋葬の際には、この溝により、土壌との接触面積が広がり、優れた生分解性が得られる。
溝の形状は特に限定されず、直線状であっても、曲線状であってもよい。溝の断面形状は特に限定されず、円弧形状、コの字形、Ｖ字形及び階段形状等とすることができる。
また、形成される溝の数は特に限定されないが、複数形成されていることが好ましく、これらが互いに交わるように形成されていることがより好ましい。
前記溝の寸法は特に限定されず、例えば、溝の幅（図２のＷ１及びＷ２参照）は５〜１００ｍｍ、特に１０〜５０ｍｍ、更には２０〜３０ｍｍとすることができる。更に、溝の深さ（図３のＤ参照）は３〜３０ｍｍ、特に５〜２０ｍｍ、更には５〜１０ｍｍとすることができる。尚、溝の寸法は全て同一であってもよいし、異なる寸法の溝の組み合わせであってもよい。
また、前記溝は、図１及び図２に示すように、底壁２の縁部２１まで到達するように形成されていることが好ましい。更に、この溝４は、底壁２の下面全体にわたり、且つ格子状に形成されていることが好ましい。
【００１３】
前記「側壁」は前記底壁の周囲を取り囲むように形成されている。この側壁の寸法は特に限定されず、収容される遺体の大きさにより適宜調整することができる。
また、側壁の外表面及び／又は内表面にはエンボス加工を施すことができ、側面側から収納された遺体が視覚的に明瞭に見えないようにすることができる。
【００１４】
本考案においては、前記底壁の上面に複数の「突条」を形成することができる。この突条が形成されると、滑り止めの効果が得られ、愛玩動物等の遺体を収納した際に、棺桶内で移動したり、散乱したりしないようにすることができる。
前記突条の形状は特に限定されず、点状、直線状及び曲線状等が挙げられる。突条の断面形状は特に限定されず、半円形状、矩形状、三角形状及び凸形状等とすることができる。また、形成される突条の数は限定されないが、複数形成されていることが好ましい。
前記突条の寸法は特に限定されないが、高さ（図３のＨ参照）が３〜３０ｍｍ、特に５〜２０ｍｍ、更には５〜１０ｍｍとすることが好ましい。尚、突条の形状及び寸法は全て同一であってもよいし、異なる寸法の突条の組み合わせであってもよい。
【００１５】
また、本考案の棺桶は、開放部を塞ぐための「蓋部」を更に備えていてもよい。この場合、周囲への臭気の拡散等を防止でき、衛生的である。更に、埋葬の際には、収納された遺体に直接土壌が接触するのを防ぐことができる。また、他の動物に掘り返されるおそれもない。
前記蓋部の形状は、開放部を塞ぐことができる限り限定されない。例えば、角形やドーム形状等が挙げられる。
また、蓋部の外表面及び／又は内表面にはエンボス加工を施すことができ、棺桶の上方側から収納された遺体が視覚的に明瞭に見えないようにすることができる。
【００１６】
本考案の棺桶は、「生分解性樹脂」により形成される。
この生分解性樹脂の種類は、燃焼させた際に灰が残らず且つダイオキシン等の有害物質を発生しないものである限り特に限定されない。具体的には、例えば、ポリ乳酸等があげられる。
【００１７】
本考案の棺桶の製造方法は特に限定されず、真空成形、射出成形等の公知の方法により製造することができる。特に、真空成形により製造することが好ましい。
【００１８】
本考案の棺桶に収納される遺体は特に限定されないが、この棺桶は、犬、猫、ウサギ、小鳥等の愛玩動物の遺体を収納する棺桶として有用である。
【実施例】
【００１９】
以下、図面を参照して、本考案について更に詳細に説明する。
<第１実施形態>
以下、本考案の第１実施形態について図１〜図４を参照しつつ具体的に説明する。
ここで、図１は、本考案の棺桶の一例を示す斜視図であり、図２は、その棺桶における底壁の下面側を説明する模式図である。また、図３は、図１におけるＡ−Ａ断面の説明図であり、図４は図１におけるＢ−Ｂ断面の説明図である。
【００２０】
図１〜図４に示すように、棺桶１は、底壁２と、この底壁２の周囲を囲むようにして形成された側壁３と、を備えており、且つ上方が開放された開放部Ｓを有する箱形である。
この棺桶１は、生分解性樹脂（ポリ乳酸）製の樹脂板を真空成形することにより形成されたものである。
【００２１】
底壁２の下面には、図１及び図２に示すように、断面が略円弧形状（図３及び図４参照）の溝４が下面全体にわたって格子状に形成されている（図１におけるＡ−Ａ断面方向に４本、Ｂ−Ｂ断面方向に２本）。
そして、これらの溝４は全て底壁２の一端側の縁部２１から、対向する他端側の縁部まで到達するように形成されている。
【００２２】
また、底壁２の上面には、図１に示すように、断面が略半円形状（図３及び図４参照）の突条５が上面全体にわたって格子状に形成されている（Ａ−Ａ断面方向に４本、Ｂ−Ｂ断面方向に２本）。
【００２３】
第１実施形態によれば、火葬の際には、図５に示すように、火炎Ｆが矢印で示すように、底壁２に形成された溝４に沿って棺桶１の下方側にも回るため、全体を均一に燃焼させることができる。一方、埋葬する際には、溝４が形成されているため、底壁２と土壌との接触面積が大きくなり、優れた生分解性を得ることができる。また、溝４を備えているため、この棺桶１は十分な強度を有する。更に、この棺桶１は、生分解性樹脂により形成されているため、燃焼の際に灰が残ることがなく、且つダイオキシン等の有害物質を発生することもなく環境性に優れる。
また、底壁２における溝４が、底壁２の下面全体にわたって、底壁２の縁部２１まで到達するように且つ格子状に形成されているため、火葬時の火炎が一方向からのみの場合であっても、火炎Ｆが矢印で示すように均等に広がり、全体をより均一に燃焼させることができる。
また、底壁２の上面には、複数の突条５が形成されているため、滑り止めの効果が得られ、愛玩動物等の遺体を収納した際に、棺桶１内で移動したり、散乱したりしないようにすることができる。
【００２４】
<第２実施形態>
次に、本考案の第２実施形態について図６を参照しつつ説明する。尚、第１実施形態と同一の構成については、同一の符号を付し、構造及びその作用効果等の説明を省略する。
この第２実施形態では、側壁３における蓋受部３１及び蓋部６の構成が第１実施形態と異なる。
ここで、図６は、本考案の棺桶の他の一例を示す斜視図である。
【００２５】
図６に示す棺桶１０において、側壁３には蓋受部３１が形成されている。
蓋部６は、棺桶１０を構成する他の部位と同様の生分解性樹脂（ポリ乳酸）製の樹脂板を真空成形することにより形成されたものであり、下方が開放されたドーム形状となっている。
そして、この蓋部６の縁部６１を蓋受部３１に配置することで、棺桶１０の開放部Ｓを塞ぐことができる。
【００２６】
第２実施形態によれば、開放部Ｓを塞ぐための蓋部６を更に備えているため、臭気の拡散等を防止でき、衛生的である。また、埋葬の際には、収納された遺体７に直接土壌が接触するのを防ぐことができる。
【００２７】
尚、本考案においては、図面によって説明した前記実施形態に限定されるものではなく、目的、用途に基づいて本考案の範囲内で種々変更した実施形態とすることができる。
例えば、上記各実施形態において、側面側から収納された遺体が明瞭に透けて見えないようにするため、側壁３の外表面及び／又は内表面にエンボス加工を施した形態とすることができる。
更に、上記実施形態２においては、上方側からも収納された遺体７が明瞭に透けて見えないようにするため、蓋部６の外表面及び／又は内表面にエンボス加工を施した形態とすることができる。
また、上記各実施形態においては、本考案の効果を損なわない範囲内で側壁３及び／又は蓋部６の外表面に模様等の装飾加工を施してもよい。
【図面の簡単な説明】
【００２８】
【図１】本考案の棺桶の一例を示す斜視図である。
【図２】底壁の下面側を説明する模式図である。
【図３】図１におけるＡ−Ａ断面の説明図である。
【図４】図１におけるＢ−Ｂ断面の説明図である。
【図５】本考案の棺桶を用いて火葬した際の、火炎の進行を説明する模式図である。
【図６】本考案の棺桶の他の一例を示す斜視図である。
【図７】従来の棺桶を用いて火葬した際の、火炎の進行を説明する模式図である。
【符号の説明】
【００２９】
１；棺桶、２；底壁、２１；縁部、３；側壁、３１；蓋受部、４；溝、５；突条、６；蓋部、６１；縁部、７；遺体、１０；棺桶、２０；棺桶、Ｆ；火炎、Ｓ；開放部。
【図１】
0003122988.tif 000003
【図２】
0003122988.tif 000004
【図３】
0003122988.tif 000005
【図４】
0003122988.tif 000006
【図５】
0003122988.tif 000007
【図６】
0003122988.tif 000008
【図７】
0003122988.tif 000009